(57)【特許請求の範囲】
【請求項１】
押し込み操作により、開閉弁が切換えられて、吐水及び止水が行なわれるようにした押しボタンと、止水状態において前記押しボタンをロックするロック機構とを有する水栓において、
前記ロック機構は、手動操作により２位置に配置可能なロック部材と、前記押しボタンに設けられた被ロック部とを備え、その被ロック部は、一方の位置に配置された前記ロック部材と係合して前記押しボタンが止水状態にロックされるようにした第１部分と、他方の位置に配置された前記ロック部材と係合して前記押しボタンが吐水状態にロックされるようにした第２部分とを備えた水栓。
【請求項２】
前記押しボタンは、シャワー開閉弁及びカラン開閉弁にそれぞれ対応して一対備えられ、前記ロック部材は各開閉弁にそれぞれ対応して一対備えられた請求項１に記載の水栓。
【請求項３】
前記ロック部材は、水栓本体のカバーの下部に位置し、ロック部材の操作部がカバーの下面に位置する請求項１または２に記載の水栓。
【請求項４】
前記被ロック部は、前記押しボタンと一体の突起であって、前記第１部分は、突起の後面であり、前記第２部分は前記突起の下面の溝である請求項１〜３のうちのいずれか一項に記載の水栓。
【請求項５】
前記カバーの下面には前記操作部を囲む合成樹脂製の縁枠材が備えられている請求項３に記載の水栓。
【発明の詳細な説明】
【技術分野】
【０００１】
本発明は、押しボタンの操作により吐水及び止水を実行できるようにした水栓に関するものである。
【背景技術】
【０００２】
この種の水栓が特許文献１及び特許文献２に開示されている。
特許文献１の水栓においては、押しボタンが誤って操作された場合においても、衣服が濡れたりすることを防止するために、押しボタンと水栓本体との間に、使用者の操作により押しボタンをロックして止水状態を保持するロック機構が設けられている。
【０００３】
特許文献２の水栓においては、少なくとも２つの押しボタンが設けられ、１つの押しボタンを押して、同押しボタンと対応する開閉弁を吐水状態にしたときに、他の押しボタンと対応する開閉弁を止水状態に保持するロック機構が設けられている。
【先行技術文献】
【特許文献】
【０００４】
【特許文献１】特開２００５−１２０５９６号公報
【特許文献２】特開２００５−１７９９１５号公報
【発明の概要】
【発明が解決しようとする課題】
【０００５】
特許文献１及び特許文献２に開示されたロック機構は、いずれも止水状態を保持するために、押しボタンを切換不能にロックするものである。従って、例えば、浴槽の洗浄のためにシャワーを吐水状態にロック保持するということはできない。
【０００６】
本発明の目的は、吐水状態のロックを簡単な構成をもって実現できるようにした水栓を提供することにある。
【課題を解決するための手段】
【０００７】
上記の目的を達成するために、本発明においては、押し込み操作により、開閉弁が切換えられて、吐水及び止水が行なわれるようにした押しボタンと、止水状態において前記押しボタンをロックするロック機構とを有する水栓において、前記ロック機構は、手動操作により２位置に配置可能なロック部材と、前記押しボタンに設けられた被ロック部とを備え、その被ロック部は、一方の位置に配置された前記ロック部材と係合して前記押しボタンが止水状態にロックされるようにした第１部分と、他方の位置に配置された前記ロック部材と係合して前記押しボタンが吐水状態にロックされるようにした第２部分とを備えたことを特徴とする。
【０００８】
以上の構成においては、押しボタンに対する押し込み操作により、水栓を止水状態及び吐水状態に切換えることができる。そして、ロック機構の作用により、水栓を止水状態にロックできるだけではなく、吐水状態にもロックできる。しかも、吐水状態にロックするための第２部分は、前記第１部分を有する被ロック部に備えられるため、部品点数が増えることを回避できる。
【発明の効果】
【０００９】
本発明の水栓によれば、吐水状態のロック保持を簡単な構成をもって実現できるという効果を発揮する。
【図面の簡単な説明】
【００１０】
【図１】水栓の斜視図。
【図２】押しボタン部分の平断面図。
【図３】押しボタン及びロック機構の部分を示す分解斜視図。
【図４】押しボタンの非ロック状態を示す斜視図。
【図５】止水時における押しボタンのロック状態を示す斜視図。
【図６】押しボタンとロック部材の第１部分との関係を示す断面図。
【図７】押しボタンとロック部材の第２部分との関係を示す断面図。
【図８】（ａ）〜（ｇ）は、それぞれロック突起とロック部材との関係を示す模式図。
【発明を実施するための形態】
【００１１】
以下に、本発明を具体化した水栓の実施形態を図面に従って説明する。
本実施形態の水栓は、水，湯及び水と湯との混合水（以下、単に水と総称する）を吐出できるようにした湯水混合水栓（以下、単に水栓という）に具体化したものである。
【００１２】
図１及び図２に示すように、水栓本体１１の後部の一対の給水口及び給湯口（ともに図示しない）には、給水ジョイント１２及び給湯ジョイント１３がそれぞれ接続され、それらの給水ジョイント１２及び給湯ジョイント１３は、給水源から延びる配管及び給湯源から延びる配管（図示しない）にそれぞれ連結される。水栓本体１１の後部のシャワー吐出口１４には、シャワーホース１５が接続され、そのシャワーホース１５の先端にはシャワーヘッド（図示しない）が接続されている。
【００１３】
水栓本体１１の下面のカラン吐出口１６には、カラン吐水管１７が水平回転可能に接続されている。水栓本体１１の右端には、吐水量調節ハンドル１８が設けられ、水栓本体１１の左端には温度調節ハンドル１９が設けられている。
【００１４】
図１及び図２に示すように、水栓本体１１の前部右側には、後述のシャワー側押しボタン４１と対向するように、ボタン２０を有するシャワー開閉弁２１が内蔵されている。水栓本体１１の前部左側には、後述のカラン側押しボタン４２と対向するように、ボタン２２を有するカラン開閉弁２３が内蔵されている。なお、シャワー開閉弁２１及びカラン開閉弁２３は、スプリング及びカム（ともに図示しない）の作用によるプッシュオン・プッシュオフタイプであって、１回目のボタン２２に対する押し込みにより、同ボタン２２は後退してその位置で保持され、２回目のボタン２２に対する押し込みにより同ボタン２２は突出位置に復帰する。
【００１５】
そして、シャワー開閉弁２１及びカラン開閉弁２３の各ボタン２０，２２が前方への突出状態にあるときには、シャワー開閉弁２１及びカラン開閉弁２３が閉鎖状態にあって、シャワーヘッド及びカラン吐水管１７が止水状態にある。シャワー開閉弁２１のボタン２０が押し込まれたときには、シャワー開閉弁２１が開放されて、シャワーヘッドからのシャワー吐水が行なわれる。カラン開閉弁２３のボタン２２が押し込まれたときには、カラン開閉弁２３が開放されて、カラン吐水管１７からの吐水が行なわれる。これらの吐水の場合、前記吐水量調節ハンドル１８の手動操作により、吐水量が調節される。また、温度調節ハンドル１９の手動操作により、吐水の温度が調節される。
【００１６】
図１〜図３に示すように、水栓本体１１の外側にはカバー３１が取り付けられている。このカバー３１の後部には、水栓本体１１の後面及び下面のほぼ後半部を覆う合成樹脂よりなる後部カバー部材３２が設けられている。カバー３１の前部には、水栓本体１１の前面及びほぼ下面の前半部を覆う合成樹脂製の前部カバー部材３４が設けられている。前部カバー部材３４の下部には、金属板よりなる下部カバー部材３３が固定されている。前部カバー部材３４の上部には上板部３４１が設けられ、その上板部３４１の上面には水栓本体１１の上面に位置するとともに、化粧板を構成する金属製の上部カバー部材３５が取付けられている。上板部３４１の下面には、上部カバー部材３５と固定された補強板３６が取付けられている。
【００１７】
図１及び図２に示すように、前記前部カバー部材３４の前壁部３４２には、前記シャワー開閉弁２１及びカラン開閉弁２３とそれぞれ対向する位置において開口３７，３８が透設されている。それらの開口３７，３８内には、それぞれシャワー側押しボタン４１及びカラン側押しボタン４２が配置されている。図３，図６及び図７に示すように、両押しボタン４１，４２は、それらの上端部において軸４３により支持され、使用者によって押し込まれることにより、軸４３を中心に回転されて、裏面の突部４１１，４２１により、前記シャワー開閉弁２１及びカラン開閉弁２３のボタン２０，２２が押し込まれる。従って、シャワー側押しボタン４１の押し込み操作により、シャワーの吐水状態と止水状態が切換えられる。また、カラン側押しボタン４２の押し込みにより、カラン吐水管１７の吐水状態及び止水状態が切換えられる。
【００１８】
図３に示すように、前記シャワー開閉弁２１及びカラン開閉弁２３のボタン２０，２２の裏面における下端両側には、後面をロック面とした被ロック部としてのロック突起４４が一体形成されるとともに、このロック突起４４の下面には、左右方向に延びるロック溝４５が形成されている。
【００１９】
図３〜図６に示すように、前記シャワー側押しボタン４１及びカラン側押しボタン４２にそれぞれ対応する位置において、前部カバー部材３４の下部には、左右方向に延びるそれぞれ一対の第１ガイド溝５１が透設されている。シャワー側押しボタン４１及びカラン側押しボタン４２にそれぞれ対応する位置において、下部カバー部材３３には、左右方向に延びる第２ガイド溝５３が透設されている。下部カバー部材３３と前部カバー部材３４との間には、一対のロック部材５５，５６が配置され、そのロック部材５５，５６の下面の操作部５７が第２ガイド溝５３から下方に突出されている。
【００２０】
図１及び図３に示すように、下部カバー部材３３の下面には、孔６１と爪６２との嵌合により合成樹脂製の縁枠材６３が取り付けられ、この縁枠材６３には前記操作部５７を囲んだ状態で下方に突出させるガイド溝６４が形成されている。そして、この縁枠材６３及び操作部５７は、水栓の斜め上方の位置からは見えないところに設置されている。
【００２１】
図３〜図６に示すように、両ロック部材５５，５６の上面両端には、ロック爪５９が一体形成され、このロック爪５９は、前記第１ガイド溝５１から押しボタン４１，４２側に突出している。そして、前記ロック部材５５，５６の操作部５７を操作することにより、ロック部材５５，５６がガイド溝６４に沿って左右の２位置間を移動される。
【００２２】
図４に示すように、ロック部材５５，５６が左右方向の一方の位置に配置されたときには、ロック爪５９が前記押しボタン４１，４２のロック突起４４に対する対向位置から外れる。また、図５に示すように、シャワー側押しボタン４１及びカラン側押しボタン４２が前方へ突出された状態においてロック部材５５，５６が左右方向の他方の位置に配置されたときには、ロック爪５９が前記シャワー側押しボタン４１及びカラン側押しボタン４２のロック突起４４の後面に対向される。さらに、図７に示すように、押しボタン４１，４２が後方へ押し込まれた状態で、ロック部材５５，５６が前記の他方の位置に移動されると、ロック爪５９がロック溝４５内に進入される。
【００２３】
次に、本実施形態の作用を説明する。
押しボタン４１，４２が操作されずに、押し込まれていない止水状態において、ロック部材５５，５６が図２及び図４に示す一方の位置に配置されたときには、ロック爪５９が前記押しボタン４１，４２のロック突起４４の後面から外れたところに位置している。このため、押しボタン４１，４２はロック爪５９に当たることなく、後方へ回転可能な状態にあり、その押しボタン４１，４２を押し込んで吐水状態にすることができる（図８（ａ）参照）。
【００２４】
また、ロック部材５５，５６が図５に示す他方の位置に配置されたときには、ロック爪５９が前記押しボタン４１，４２のロック突起４４の後面に対向して、押しボタン４１，４２の押し込みが阻止される。従って、押しボタン４１，４２は止水状態でロックされる（図８（ｂ）参照）。
【００２５】
さらに、押しボタン４１，４２が吐水のために押し込まれた状態で、ロック部材５５，５６が移動されると、ロック爪５９がロック溝４５内に進入して、押しボタン４１，４２が押し込まれた吐水状態でロックされる（図８（ｅ）参照）。
【００２６】
そして、一対のロック部材５５，５６はそれぞれ単独で一方の位置及び他方の位置に配置可能であるため、いずれか一方の押しボタン４１，４２の止水状態ロック（図８（ｃ），同図８（ｄ）参照）が可能であるとともに、いずれか一方の押しボタン４１，４２の吐水状態ロック（図８（ｆ），同図８（ｇ）参照）が可能である。
【００２７】
以上のように構成された本実施形態においては、以下の効果がある。
（１）シャワー側押しボタン４１及びカラン側押しボタン４２の操作をロックするためのロック部材５５，５６が前方から視認しにくい下面側に設けられているため、例えば、ロック部材５５，５６の存在を知らない子供等がロックしてしまうことを有効に防止できる。
【００２８】
（２）いずれか一方の押しボタン４１，４２を単独でロックできるため、例えば、シャワー使用時にカラン側をロックしておけば、カラン側の意図しない吐水によってシャワー圧力が低下するようなことを防止できる。あるいは、衣服を着用しているために、カランからの吐水のみを用い、シャワー吐水を避けたい場合において、シャワーによって衣服が濡れたりすることを防止できる。
【００２９】
（３）ロック爪５９がロック溝４５内に進入することにより、シャワー側押しボタン４１及びカラン側押しボタン４２が吐水状態でロックされるため、例えば、シャワー吐水しながら浴槽洗浄の最中に、子供の悪戯等によって止水されて、洗浄作業が中断されたりしてしまうことを防ぐことができる。
【００３０】
（４）シャワー側押しボタン４１及びカラン側押しボタン４２を吐水状態にロックするために、ロック溝４５をロック突起４４に形成しただけであるから、部品点数が増えることはなく、構成が簡単である。
【００３１】
（５）シャワー側押しボタン４１及びカラン側押しボタン４２のそれぞれに対応してロック部材５５，５６を設けているため、両押しボタン４１，４２をそれぞれ単独で吐水状態及び止水状態にロックできる。従って、両押しボタン４１，４２の両方の状態を任意にロックでき、使い勝手に優れた水栓とすることができる。
【００３２】
（６）ロック部材５５，５６の操作部５７が合成樹脂製の縁枠材６３のガイド溝６４から外部に露出しているため、指先が金属製の下部カバー部材３３や、そのガイド溝５３に接することを防ぐことができて、優れた使用感を得ることができる。また、操作部５７の周囲に縁枠材６３が設けられるため、この部分の意匠性を向上できる。
【００３３】
本発明は、前記実施形態に限定されるものではなく、以下のような態様で具体化することも可能である。
・シャワー側押しボタン４１及びカラン側押しボタン４２のロック突起４４と、ロック部材５５，５６のロック爪５９とをそれぞれ１箇所に設けること。
【００３４】
・押しボタンがひとつの単水栓において本発明を具体化すること。
【符号の説明】
【００３５】
１１…水栓本体、２１…シャワー開閉弁、２３…カラン開閉弁、４１…シャワー側押しボタン、４２…カラン側押しボタン、４４…ロック突起、４５…ロック溝、５５…ロック部材、５６…ロック部材、５９…ロック爪。
【図１】
0006483000.tif 000002
【図２】
0006483000.tif 000003
【図３】
0006483000.tif 000004
【図４】
0006483000.tif 000005
【図５】
0006483000.tif 000006
【図６】
0006483000.tif 000007
【図７】
0006483000.tif 000008
【図８】
0006483000.tif 000009